(57)【要約】【課題】  石炭の粉塵を抑制する方法及び組成物の提供。【解決手段】  石炭の粉塵を抑制する本発明の方法および組成物は、燃焼改善剤でもあるという付加的な利点を与える例えば有機マンガン化合物のような金属含有化合物を含んでいる。該有機金属化合物を適切な粉塵抑制用の液体と混合する。該有機金属化合物はメチルシクロペンタジエニルマンガントリカルボニルを含んでいることができる。【選択図】  なし【特許請求の範囲】
【請求項１】
石炭からの粉塵を抑制する方法において、該方法は
マンガンを含む化合物を提供し；
粉塵抑制用の液体を提供し；
該マンガン含有化合物を該粉塵抑制用の液体と組み合わせて混合物をつくり；
マンガン含有化合物と粉塵抑制用の液体との該混合物を石炭と接触させる工程を含んで成り、
この際石炭からの粉塵の生成を抑制するのに効果的な量で該混合物を石炭と接触させることを特徴とする方法。
【請求項２】
石炭からの粉塵を抑制する方法において、該方法は
マンガンを含む化合物と粉塵抑制用の液体との混合物を提供し；
該マンガンを含む化合物と粉塵抑制用の液体との混合物を石炭と接触させる工程を含んで成り、
この際石炭からの粉塵の生成を抑制するのに効果的な量で該混合物を石炭と接触させることを特徴とする方法。
【請求項３】
石炭により発生する粉塵を抑制するための液体において、該液体はマンガン含有化合物を含んで成り、ここで該マンガン含有化合物は石炭の重量の約１〜５００ｐｐｍの処理割合で加えられることを特徴とする液体。
【発明の詳細な説明】
【技術分野】
【０００１】
本発明は石炭の粉塵を抑制する方法および組成物に関する。本発明の方法および組成物はまた同時に石炭の燃焼を改善する添加物を含んでいる。特定的に述べれば、本発明の方法および組成物は,石炭の取扱中および石炭を燃焼させる前において,粉塵抑制剤を用いマンガン含有化合物を石炭に対して塗布する方法および組成物に関する。
【背景技術】
【０００２】
石炭の粉塵の問題はよく知られているとおりである。この問題は石炭を取り扱う産業全体を通じて、即ち鉱山、輸送地点、および利用設備または他の利用地点において生じる。この問題は、輸送地点および利用設備が人口密集地域または環境的に敏感な地域にきわめて接近していると一層増大する結果を招く。
【０００３】
従来の粉塵抑制システムは機械的方法および化学的な方法の両方を含んでいる。例えば粉塵捕集装置は、浮遊して同伴した粉塵を捕捉するか、粉塵の沈降を誘起するか、或いは粉塵を封じ込める装置を含んでいる。しかし、最も普通の粉塵抑制法は石炭を水で湿らせる方法である。水は廉価であり、粉塵を除去するために大量に加えることができる。しかし水を加えると石炭に特有の発熱量が減少する。
【０００４】
単独で用いられる水に加えて、他の水性添加物も知られており使用されている。これらの中には表面活性剤を含む溶液が含まれる。水性の発泡体も知られている。さらにまた、アスファルトの乳化物または他の有機性の塗布材料を含んで成る水性組成物を使用することもできる。
【０００５】
粉塵を減少させまたは除去するために油および樹脂を塗布することも知られている。油の噴霧には原油、残油、廃油または燃料油を使用する方法が含まれる。
【０００６】
粉塵を減少させるために石炭に塗布することができる他の液体には、合成および天然の両方の重合体が含まれる。例えば蔗糖および蔗糖関連生成物を含む植物性材料を含有する液体が知られている。粉塵の粒子を捕集するかこれを粘着させる他の重合体も使用されてきた。
【０００７】
粉塵を減少させる問題とは関係なく、石炭の完全燃焼を改良することが望ましい。フライアッシュ中の炭素は石炭の不完全燃焼から生じる。従って、石炭の燃焼室からのフライアッシュの全発生量を減少させるためには、フライアッシュ中の炭素を減少させることが望ましい。また、炭素含量が低いフライアッシュは廃棄が容易であり、また高炭素含量のフライアッシュに比べ、粒子状物質の発生を抑制するのにしばしば使用される静電集塵器によって一層容易に捕捉される。
【発明の開示】
【課題を解決するための手段】
【０００８】
本発明は石炭の粉塵抑制用の液体に金属含有化合物を添加することにより該粉塵抑制用の液体を強化する方法に関する。この金属含有添加剤は燃焼改善剤である。粉塵抑制剤と同時に燃焼改善剤を添加すると、石炭の取り扱い業者は、一つの混合物を加えこれを石炭に対して１回塗布するという単一の工程段階で、粉塵を抑制し燃焼を改善する問題を解決することができる。
【０００９】
文献には、石炭からの粉塵を抑制するために石炭に加えることができる広範囲な種類の液体が詳細に記載されている。これらの液体には水、油、表面活性剤、重合体分散物、重合体溶液、凝集剤、および樹脂、並びにこれらの１種またはそれ以上の混合物が含まれる。特に、Ｍｅｍｂｒｙ，Ｗ．Ｂ．著、「Ｆｕｎｄａｍｅｎｔａｌｓ  ｏｆ  Ｄｕｓｔ  Ｓｕｐｐｒｅｓｓｉｏｎ  Ｄｕｒｉｎｇ  Ｃｏａｌ  Ｈａｎｄｌｉｎｇ」、Ａｕｓｔｒａｌｉａｎ  Ｃｏａｌ  Ｉｎｄｕｓｔｒｙ  Ｒｅｓｅａｒｃｈ  Ｌａｂｏｒａｔｏｒｉｅｓ  Ｌｉｍｉｔｅｄ（１９８１年発行）、Ｐ．Ｒ．８２−２，ＩＳＢＮ  ０  ８６７７２  ０７２  ７参照のこと。上記のこれらの従来法の液体を含む任意の粉塵抑制用の液体にマンガンを含む化合物を加えることができる。その結果溶液、乳化液、混合物、またはこれらの任意の他の組み合わせが得られる。
【００１０】
以前に指摘されたように、粉塵抑制剤は石炭の取り扱い工程の種々の段階で塗布することができる。この工程の間粉塵抑制剤を多数回塗布することができる。金属（マンガンを含むがそれに限定されるものではない）を含む化合物と液体の粉塵抑制剤との組み合わせから得られる混合物は、石炭の取り扱いにおける任意の段階で塗布することができる。金属含有化合物を含む混合物は、石炭の取り扱いにおける最終使用者の段階、即ち施設の燃焼工場または他の炉の場所で加えることができる。別法として、販売用に石炭の性質を改善するために、採鉱操作の中で金属含有化合物を液体の粉塵抑制剤と組み合わせることができる。この金属には、マンガン、鉄、セリウム、銅、モリブデン、白金族金属、アルカリおよびアルカリ土類金属、および燃焼システムで炭素を酸化する触媒として知られている他の金属が含まれる。
【００１１】
燃焼反応に対する触媒としてのマンガンの効果を増強するためには、石炭と混合するマンガン化合物ではマンガンを単核または小さいクラスターの形で利用しなければならない。このようにすれば燃焼の際に多くの量のマンガンが石炭（炭素）粒子の上に分散する。
【００１２】
石炭の中に自然に存在する大部分の量のマンガンは、燃焼を改善しフライアッシュ中の炭素の量を低減させる上で顕著な効果はないと考えられている。何故ならば、マンガンは結晶の形で硫黄または燐のような元素と結合しているからである。従って、石炭（炭素）の粒子を取り囲んでその燃焼を助ける触媒として働くのに利用できる単核の或いは小さいクラスター状のマンガン原子はあまり多くの量では存在しない。従って天然に得られるマンガンが燃焼に及ぼす効果は無視できると思われる。
【００１３】
原子３〜５０個およびそれ以上の大きさのクラスターは、１〜３個の金属原子を含む大きさの化合物として金属添加剤を含む燃料により供給される焔の中で動的に形成される。これらのクラスターは一般に反応性が大きすぎるので、通常の周囲条件において分離することはできない。
【００１４】
金属の触媒作用を目的とした焔の中における金属クラスターの大きさの分布の測定は、Ｌｉｎｔｅｒｉｓ，Ｇ．，Ｒｕｍｍｉｎｇｅｒ，Ｍ．，Ｂａｂｕｓｈｏｋ，Ｖ．，Ｃｈｅｌｌｉａｈ，Ｈ．，Ｌａｚｚａｒｉｎｉ，Ｔ．，および  Ｗａｎｉｇａｒａｔｈｎｅ，Ｐ．等によって行なわれている。Ｆｉｎａｌ  Ｒｅｐｏｒｔ：Ｎｏｎ−Ｔｏｘｉｃ  Ｍｅｔａｌｌｉｃ  Ｆｉｒｅ  Ｓｕｐｐｒｅｓｓａｎｔｓ．Ｎａｔｉｏｎａｌ  Ｉｎｓｔｉｔｕｔｅ  ｏｆ  Ｓｔａｎｄａｒｄｓ  ａｎｄ  Ｔｅｃｈｎｏｌｏｇｙ（ＮＩＳＴ），Ｔｅｃｈｎｏｌｏｇｙ  Ａｄｍｉｎｉｓｔｒａｔｉｏｎ，Ｕ．Ｓ．  Ｄｅｐａｒｔｍｅｎｔ  ｏｆ  Ｃｏｍｍｅｒｃｅ，  Ｍａｙ  ２００２．ｈｔｔｐ：／／ｆｉｒｅ．ｎｉｓｔ．ｇｏｖ／ｂｆｒｌｐｕｂｓ／ｆｉｒｅ０２  ＰＤＦ／ｆ０２０１１．ｐｄｆ．．ｓｅｃｔｉｏｎ  ３．５，該レポートの５３頁から始まる表題「Ｌａｓｅｒ  Ｓｃａｔｔｅｒｉｎｇ  Ｅｘｐｅｒｉｍｅｎｔｓ  ｏｆ  Ｐａｒｔｉｃｌｅｓ  ｉｎ  Ｆｅ（ＣＯ）５−Ｉｎｈｉｂｉｔｅｄ  Ｆｌａｍｅｓ」の項参照のこと。
【００１５】
「単核（ｍｏｎｏｎｕｃｌｅａｒ）」化合物と言う言葉は、一つの化合物の中で１個のマンガン原子が結合している実質的に可溶性の化合物を含むものとする。その一例としては種々の有機溶媒に可溶な有機金属マンガン化合物がある。金属原子の「小さいクラスター」をもつ化合物は、２〜約５０個のマンガン原子を有するものを含んでいる。この別の態様においては、金属原子は依然として燃焼反応に対する効果的な触媒となり得るのに十分なほど分散しているか或いは分散することができる。単核の原子および小さいクラスターになった原子について溶解度を議論する場合、溶解度と言う言葉は伝統的な意味において液体媒質の中に完全に溶解する場合と、部分的に溶解するかまたは懸濁する場合の両方を意味している。マンガン原子が単一の原子としてまたは最高５０個までの原子のクラスターとして適切に分散している限り、マンガン原子は燃焼反応に対して積極的な触媒効果を与えるのに十分である。
【００１６】
２〜５０個の原子の金属化合物クラスターの例は通常の周囲条件においては希であるが、単一原子ないし３個までの金属原子のクラスターの形で金属原子を含む燃料を供給された焔の中では極めて一般的である。マンガンの場合には、メチルシクロペンタジエニルマンガントリカルボニル（ＭＭＴ）、マンガノセン、および文献に記載されている多くの他のモノマンガン有機金属化合物を含む多数の単原子化合物が存在する。また、七酸化マンガン（Ｍｎ２Ｏ７）、マンガンデカカルボニル［Ｍｎ２（ＣＯ）１０］等のような二核金属化合物も存在する。三核マンガンクラスターの一例はクエン酸マンガン（ＩＩ）［Ｍｎ３（Ｃ６Ｈ５Ｏ７）２］である。２〜５０個およびそれ以上の原子のクラスターは燃焼過程の関数として火炎面の中で動的につくられる。これらは不安定な反応種であり、そのクラスターの大きさの分布はそれらが関与する燃焼過程によって速度論的および熱力学的に平衡が保たれている。
【００１７】
ＭＭＴのような単原子のマンガン化合物から出発すると、３個の金属原子から５００個以上の金属原子までのさまざまな大きさのクラスターをその場でつくることができる。これは、金属原子から有機配位子を抜き取る任意の機構によって促進される熱力学的に有利な過程である。これらの配位子は原子状態において金属を安定化し、それを引き抜くと金属原子は互いに引き付け合い、安定性を得るために結合して絶えず成長する大きさをもつクラスターになる。このようにして一緒になった原子が多いほど、クラスターは安定になる。クラスターが大きいほど、金属の燃焼触媒としての効果は小さくなる。燃焼には、例えば温度、酸素、および金属原子から反応により配位子を取り去る燃料に関連したフリーラジカルのような金属のクラスターの生成を促進する幾つかの機構が組み合わされている。
【００１８】
温度の上昇は、一方では、安定化を行なっている配位子を引き抜くことによりクラスターの生成を促進する。しかし、温度が火炎面で測定されるような高い温度、即ち２５００℃以上に保持されていると、原子はこの区域において動的に隔離した状態に保たれる。
【００１９】
火炎面のいずれの側（燃料を取り込む側および放出する側）においても、火炎面から外側へと減少する温度勾配がつくられる。火炎面の中でつくられた裸の金属原子は、熱力学的に（熱力学的な要求）火炎面から遠ざかりこれらの温度勾配を低い方へと流れて行く。温度が低下するにつれ、原子を隔離した状態に保っていた動的な力は減少し、原子は絶えず成長する大きさのクラスターの中で凝集し、熱力学的な安定性が達成される。燃焼触媒としての金属の最も効果的な形は、気相反応（燃焼）に対し最大の表面積を与える単原子の形である。温度および酸素が複雑に組み合わされた燃焼の要素であることは当然な事実であるから、クラスターの生成速度をこれらの二つのパラメータによって変更することはできない。従って触媒活性を保持または増加させるために変更すべき因子としては、原料有機金属化合物の熱および空気に対する安定性、燃焼している燃料の希釈、即ち空気の装入量、および燃焼火炎面の中への装荷燃料の圧力が残る。
【００２０】
単核化合物の例には、１個の有機基と少なくとも１個の金属イオンまたは金属原子を有する有機金属化合物が含まれる。本発明の具体化例における有機金属化合物の好適な有機基には、アルコール、アルデヒド、ケトン、エステル、無水物、スルフォネート、フォスフォネート、キレート、フェネート、クラウンエーテル、ナフテネート、カルボン酸、アミド、アセチルアセトネート、およびこれらの混合物が含まれる。マンガンを含む有機金属化合物は例えばマンガントリカルボニル化合物を含んでいることができる。このような化合物は例えば米国特許第４，５６８，３５７号明細書；同第４，６７４，４４７号明細書；同第５，１１３，８０３号明細書面；同第５，５９９，３５７号明細書；同第５，９４４，８５８号明細書、および欧州特許第４６６  ５１２  Ｂｌ号明細書に記載されている。
【００２１】
使用できる適当なマンガントリカルボニル化合物には、シクロペンタジエニルマンガントリカルボニル、メチルシクロペンタジエニルマンガントリカルボニル、ジメチルシクロペンタジエニルマンガントリカルボニル、トリメチルシクロペンタジエニルマンガントリカルボニル、テトラメチルシクロペンタジエニルマンガントリカルボニル、ペンタメチルシクロペンタジエニルマンガントリカルボニル、エチルシクロペンタジエニルマンガントリカルボニル、ジエチルシクロペンタジエニルマンガントリカルボニル、プロピルシクロペンタジエニルマンガントリカルボニル、イソプロピルシクロペンタジエニルマンガントリカルボニル、ｔ−ブチルシクロペンタジエニルマンガントリカルボニル、オクチルシクロペンタジエニルマンガントリカルボニル、ドデシルシクロペンタジエニルマンガントリカルボニル、エチルメチルシクロペンタジエニルマンガントリカルボニル、インデニルマンガントリカルボニル等、およびこれらの化合物の２種またはそれ以上の混合物が含まれる。一例は室温で液体のシクロペンタジエニルマンガントリカルボニル、例えばメチルシクロペンタジエニルマンガントリカルボニル、エチルシクロペンタジエニルマンガントリカルボニル、シクロペンタジエニルマンガントリカルボニルとメチルシクロペンタジエニルマンガントリカルボニルとの液体混合物、メチルシクロペンタジエニルマンガントリカルボニルとエチルシクロペンタジエニルマンガントリカルボニルとの混合物等である。
【００２２】
このような化合物の製造法は文献、例えば米国特許第２，８１８，４１７号明細書に記載されている。この特許の全文は引用により本明細書に包含される。
【００２３】
２〜約５０個の原子から成る小さいクラスターを有するマンガン化合物の例には、上記に挙げたものが含まれる。他の例には、非揮発性の低クラスター・サイズ（小さい大きさのクラスター）（１〜３個の金属原子）のマンガン化合物、例えばビス−シクロペンタジエニルマンガン、ビス−メチルシクロペンタジエニルマンガン、マンガンナフテネート、クエン酸マンガンＩＩ等が含まれ、これらは水溶性であるか有機溶媒に可溶である。他の例には粗製ＭＭＴの蒸溜重質残渣に見出だされるような、重合体および／またはオリゴマーの有機マトリックスの中に埋め込まれた非揮発性の低クラスター・マンガン化合物が含まれる。この他の、マンガンを含まない例には、鉄、セリウム、銅、モリブデン、白金族金属、アルカリおよびアルカリ土類金属、および燃焼系において炭素の酸化の触媒になることが知られている他の金属から成る群から選ばれる非揮発性の、金属の低クラスター・サイズの化合物が含まれる。
【００２４】
石炭に対するマンガン化合物の処理割合は重量で１〜約５００ｐｐｍの範囲である。別法においてはこの処理割合はマンガンの重量で約５〜１００ｐｐｍである。さらに他の具体化例において処理割合は、石炭に対してマンガンの重量で２０ｐｐｍである。
【００２５】
本明細書および特許請求の範囲の任意の場所において化学名で引用された反応原料および成分は、それが単数または複数のいずれにしても、それらが化学名または化学的なタイプ（例えば基質燃料、溶媒等）によって引用された他の物質と接触する前に存在したものとして同定されると理解されたい。得られる混合物または溶液或いは反応媒質の中でどのような化学変化、変換および／または反応が起こるかは問題でない。何故ならば、このような変化、変換および／または反応は、特定の反応原料および／または成分を本明細書に従って必要とされる条件下において一緒にした場合に当然起こる結果だからである。従ってこれらの反応原料および成分は所望の化学反応の遂行（例えば有機金属化合物の生成）または所望の組成物（例えば添加濃縮物または添加する燃料配合物）の生成において一緒にされるべき成分として同定される。また、添加物の成分は、それ自身独立におよび／または予めつくった添加物の組み合わせおよび／または部分的な組み合わせをつくるのに使用される成分として基質燃料の中にまたはそれと一緒に添加または配合することができるものと認識されたい。従って、特許請求の範囲および以下に記述する本発明の態様において、物質、成分および／または構成要素は現在形（含んで成る、ある、等）で引用されてはいるが、これらの物質、成分または構成要素に対する引用は、本明細書の記述に従って１種またはそれ以上の他の物質、成分および／または構成要素と最初に配合または混合する直前に存在した状態に基づくものである。これらの物質、成分または構成要素がこのような配合または混合操作の過程またはその直後において化学的な反応または変換により元の同一性を失ない得るという事実は、本明細書および特許請求の範囲を正確に理解し評価する上において全く些細な問題である。
【００２６】
本明細書の多くの場所において多数の米国特許、刊行された外国特許出願および刊行された技術論文が参照されている。このように引用されたすべての文献は明らかに完全に記載されたものとして本明細書に包含されるものとする。
【００２７】
本発明は実施する場合多くの変形を行なうことができる。従って上記の説明は本明細書に記載された特定の例に限定するものではなく、またそれが本発明を限定すると考えるべきではない。そうではなく本発明に包含される範囲は添付特許請求の範囲および法律によって許容されるその均等物として記載されている。
【００２８】
本発明の出願人は本明細書に記載された任意の具体化例を公共の目的に資する考えはなく、また上記に記載された変形または代替物が文字通りの厳密な意味で特許請求の範囲に入らないとしても、これらの変形または代替物は均等の原則の下に本発明の一部を構成するものと考えられたい。
【００２９】
本発明の主な特徴および態様は次の通りである。
【００３０】
１．石炭からの粉塵を抑制する方法において、該方法は
マンガンを含む化合物を提供し；
粉塵抑制用の液体を提供し；
該マンガン含有化合物を該粉塵抑制用の液体と組み合わせて混合物をつくり；
マンガン含有化合物と粉塵抑制用の液体との該混合物を石炭と接触させる工程を含んで成り、
この際石炭からの粉塵の生成を抑制するのに効果的な量で該混合物を石炭と接触させる方法。
【００３１】
２．該マンガン含有化合物は１個の有機基と少なくとも１種の金属のイオンまたは原子を含む有機金属化合物である上記第１項記載の方法。
【００３２】
３．該有機金属化合物の有機基はアルコール、アルデヒド、ケトン、エステル、無水物、スルフォネート、フォスフォネート、キレート、フェネート、クラウンエーテル、ナフテネート、カルボン酸、アミド、アセチルアセトネート、およびこれらの混合物から成る群から選ばれる上記第２項記載の方法。
【００３３】
４．該有機金属化合物はメチルシクロペンタジエニルマンガントリカルボニルを含んで成る上記第２項記載の方法。
【００３４】
５．該マンガン含有化合物はシクロペンタジエニルマンガントリカルボニル、メチルシクロペンタジエニルマンガントリカルボニル、ジメチルシクロペンタジエニルマンガントリカルボニル、トリメチルシクロペンタジエニルマンガントリカルボニル、テトラメチルシクロペンタジエニルマンガントリカルボニル、ペンタメチルシクロペンタジエニルマンガントリカルボニル、エチルシクロペンタジエニルマンガントリカルボニル、ジエチルシクロペンタジエニルマンガントリカルボニル、プロピルシクロペンタジエニルマンガントリカルボニル、イソプロピルシクロペンタジエニルマンガントリカルボニル、ｔ−ブチルシクロペンタジエニルマンガントリカルボニル、オクチルシクロペンタジエニルマンガントリカルボニル、ドデシルシクロペンタジエニルマンガントリカルボニル、エチルメチルシクロペンタジエニルマンガントリカルボニル、インデニルマンガントリカルボニル等、およびこれらの化合物の２種またはそれ以上の混合物から成る群から選ばれる上記第２項記載の方法。
【００３５】
６．該マンガン含有化合物は石炭の重量の約２０ｐｐｍの量で含まれている上記第１項記載の方法。
【００３６】
７．該マンガン含有化合物は石炭の重量の約５〜１００ｐｐｍの量で含まれている上記第１項記載の方法。
【００３７】
８．該マンガン含有化合物は重量で石炭に関し約１〜５００ｐｐｍの量で含まれている上記第１項記載の方法。
【００３８】
９．該マンガン含有化合物は単核金属化合物である上記第１項記載の方法。
【００３９】
１０．該マンガン含有化合物は約２個ないし約５０個以下の金属原子から成るクラスターを含んで成る上記第１項記載の方法。
【００４０】
１１．粉塵抑制用の液体は水、油、表面活性剤、重合体分散物、重合体溶液、凝集剤および樹脂、および１種またはそれ以上の上記材料の混合物から成る群から選ばれる上記第１項記載の方法。
【００４１】
１２．更に該混合物を石炭の燃焼を改善するのに有効な量で石炭と接触させる上記第１項記載の方法。
【００４２】
１３．更に該マンガン含有化合物はビス−シクロペンタジエニルマンガン、ビス−メチルシクロペンタジエニルマンガン、マンガンナフテネート、およびクエン酸マンガンＩＩから成る群から選ばれる少なくとも１種の非揮発性の低クラスター・サイズ（１〜３個の金属原子）のマンガン化合物を含んで成る上記第１項記載の方法。
【００４３】
１４．更に該マンガン含有化合物は重合体および／またはオリゴマーの有機マトリックスの中に埋め込まれた非揮発性の低クラスター・マンガン化合物を含んで成る上記第１項記載の方法。
【００４４】
１５．石炭からの粉塵を抑制する方法において、該方法は
マンガンを含む化合物と粉塵抑制用の液体との混合物を提供し；
該マンガンを含む化合物と粉塵抑制用の液体との混合物を石炭と接触させる工程を含んで成り、
この際石炭からの粉塵の生成を抑制するのに効果的な量で該混合物を石炭と接触させる方法。
【００４５】
１６．石炭により発生する粉塵を抑制するための液体において、該液体はマンガン含有化合物を含んで成り、ここで該マンガン含有化合物は石炭の重量の約１〜５００ｐｐｍの処理割合で加えられる液体。
【００４６】
１７．該マンガン含有化合物は石炭の重量の約５〜１００ｐｐｍの処理割合で加えられる上記第１６項記載の石炭により発生する粉塵を抑制するための液体。
【００４７】
１８．該マンガン含有化合物は石炭の重量に関し約２０ｐｐｍの処理割合で加えられる上記第１６項記載の石炭により発生する粉塵を抑制するための液体。
【００４８】
１９．該マンガン含有化合物は１個の有機基と少なくとも１種の金属のイオンまたは原子を含む有機金属化合物である上記第１６項記載の石炭により発生する粉塵を抑制するための液体。
【００４９】
２０．該有機金属化合物の有機基はアルコール、アルデヒド、ケトン、エステル、無水物、スルフォネート、フォスフォネート、キレート、フェネート、クラウンエーテル、ナフテネート、カルボン酸、アミド、アセチルアセトネート、およびこれらの混合物から成る群から選ばれる上記第１９項記載の石炭により発生する粉塵を抑制するための液体。
【００５０】
２１．該マンガン含有化合物はメチルシクロペンタジエニルマンガントリカルボニルを含んでいる上記第１６項記載の石炭により発生する粉塵を抑制するための液体。
【００５１】
２２．該マンガン含有化合物はシクロペンタジエニルマンガントリカルボニル、メチルシクロペンタジエニルマンガントリカルボニル、ジメチルシクロペンタジエニルマンガントリカルボニル、トリメチルシクロペンタジエニルマンガントリカルボニル、テトラメチルシクロペンタジエニルマンガントリカルボニル、ペンタメチルシクロペンタジエニルマンガントリカルボニル、エチルシクロペンタジエニルマンガントリカルボニル、ジエチルシクロペンタジエニルマンガントリカルボニル、プロピルシクロペンタジエニルマンガントリカルボニル、イソプロピルシクロペンタジエニルマンガントリカルボニル、ｔ−ブチルシクロペンタジエニルマンガントリカルボニル、オクチルシクロペンタジエニルマンガントリカルボニル、ドデシルシクロペンタジエニルマンガントリカルボニル、エチルメチルシクロペンタジエニルマンガントリカルボニル、インデニルマンガントリカルボニル等、およびこれらの化合物の２種またはそれ以上の混合物から成る群から選ばれる上記第１６項記載の石炭により発生する粉塵を抑制するための液体。
【００５２】
２３．該マンガン含有化合物は単核金属化合物である上記第１６項記載の石炭により発生する粉塵を抑制するための液体。
【００５３】
２４．該マンガン含有化合物は約２個ないし約５０個以下の金属原子から成るクラスターを含んで成る上記第１６項記載の石炭により発生する粉塵を抑制するための液体。
【００５４】
２５．石炭からの粉塵を抑制する方法において、該方法は
金属を含む化合物を提供し；
粉塵抑制用の液体を提供し；
該金属含有化合物を該粉塵抑制用の液体と組み合わせて混合物をつくり；
金属含有化合物と粉塵抑制用の液体との該混合物を石炭と接触させる工程を含んで成り、
この際石炭からの粉塵の生成を抑制するのに効果的な量で該混合物を石炭と接触させ、またここで該金属含有化合物は鉄、セリウム、銅、モリブデン、白金族金属、アルカリおよびアルカリ土類金属、および燃焼系において炭素の酸化の触媒になることが知られている他の金属から成る群から選ばれる少なくとも１種の非揮発性の低クラスター・サイズの金属を含んで成る方法。